(57)【要約】【課題】  ガラス部分に樹脂層が固着された複合レンズと該複合レンズに間隔をおいて配置される別のレンズとの間の間隔を必要最小限とすることを課題とする。【課題を解決する手段】  ガラス部分１０の光学機能面１１ａに樹脂層２０を固着して成る複合レンズＬ２１の上記樹脂層を有する側に所定の間隔をおいて別のレンズＬ２２を保持するレンズ保持構造であって、上記複合レンズと別のレンズとの間に上記複合レンズの樹脂層の最外周部より外側に位置する部分に当接した略環状のスペーサ部材５０を介在させ、上記スペーサ部材の内径５０ａ内に上記樹脂層の外周部分に形成されたはみ出し部分２３が位置される。【選択図】  図３
2006195052.tif 000002
【特許請求の範囲】
【請求項１】
ガラス部分の光学機能面に樹脂層を固着して成る複合レンズの上記樹脂層を有する側に所定の間隔をおいて別のレンズを保持するレンズ保持構造であって、
上記複合レンズと別のレンズとの間に上記複合レンズの樹脂層の最外周部より外側に位置する部分に当接した略環状のスペーサ部材を介在させ、
上記スペーサ部材の内径内に上記樹脂層の外周部分に形成されたはみ出し部分が位置される
ことを特徴とするレンズ保持構造。
【請求項２】
上記スペーサ部材の内径内に上記樹脂層の光学有効面の最外周部が位置される
ことを特徴とする請求項１に記載のレンズ保持構造。
【請求項３】
上記スペーサ部の内径内に上記別のレンズの樹脂層に対向した光学有効面の最外周部が位置される
ことを特徴とする請求項１に記載のレンズ保持構造。
【請求項４】
上記スペーサ部の内径内に上記別のレンズの樹脂層に対向した光学有効面の最外周部が位置される
ことを特徴とする請求項２に記載のレンズ保持構造。
【請求項５】
複数のレンズが所定の位置的関係をもってレンズ鏡筒内に配列されて成るレンズユニットであって、
少なくとも２枚のレンズが固定的間隔をおいて配置され、
上記２枚のレンズの一方のレンズはガラス部分の光学機能面に樹脂層を固着して成る複合レンズであって、
上記複合レンズと別のレンズとの間に上記複合レンズの樹脂層の最外周部より外側に位置する部分に当接した略環状のスペーサ部材を介在させ、
上記スペーサ部材の内径内に上記樹脂層の外周部分に形成されたはみ出し部分が位置される
ことを特徴とするレンズユニット。
【請求項６】
上記スペーサ部材の内径内に上記樹脂層の光学有効面の最外周部が位置される
ことを特徴とする請求項５に記載のレンズユニット。
【請求項７】
上記スペーサ部の内径内に上記別のレンズの樹脂層に対向した光学有効面の最外周部が位置される
ことを特徴とする請求項５に記載のレンズユニット。
【請求項８】
レンズユニットと、上記レンズユニットによって形成された光学像を電気信号に変換する撮像手段を備えた撮像装置であって、
上記レンズユニットは、複数のレンズが所定の位置的関係をもってレンズ鏡筒内に配列されて成り、
少なくとも２枚のレンズが固定的間隔をおいて配置され、
上記２枚のレンズの一方のレンズはガラス部分の光学機能面に樹脂層を固着して成る複合レンズであって、
上記複合レンズと別のレンズとの間に上記複合レンズの樹脂層の最外周部より外側に位置する部分に当接した略環状のスペーサ部材を介在させ、
上記スペーサ部材の内径内に上記樹脂層の外周部分に形成されたはみ出し部分が位置される
ことを特徴とする撮像装置。
【請求項９】
上記スペーサ部材の内径内に上記樹脂層の光学有効面の最外周部が位置される
ことを特徴とする請求項８に記載の撮像装置。
【請求項１０】
上記スペーサ部の内径内に上記別のレンズの樹脂層に対向した光学有効面の最外周部が位置される
ことを特徴とする請求項８に記載の撮像装置。
【発明の詳細な説明】
【技術分野】
【０００１】
本発明は新規なレンズ保持構造、レンズユニット及び撮像装置に関する。詳しくは、ガラス部分に樹脂層が固着されて成る複合レンズと該複合レンズに間隔をおいて配置される別のレンズとの間の間隔を必要最小限とする技術に関する。
【背景技術】
【０００２】
ガラス部分の光学機能面に樹脂層を固着して成る、レプリカレンズもしくは複合非球面レンズと称される、複合レンズが知られている。
【０００３】
レンズの光学機能面にガラス材料では加工しにくいような形状を必要とする場合に、比較的加工しやすい形状に加工したガラス部分の表面（光学機能面）に成形性が良好である樹脂材料によって所望の表面形状を有する樹脂層を固着することが行われる。例えば、球面形状に加工したガラス部分の表面に非球面形状の表面を有する樹脂層を固着して複合非球面レンズとすることが知られている。
【０００４】
上記したような非球面レンズを使用したズームレンズとして特許文献１に記載されたものがある。特許文献１の図９に示されたズームレンズにあっては、第１レンズ群の負レンズの像面側の面がガラス球面上に樹脂層を固着させた複合非球面とされ、該複合非球面によって歪曲収差の補正を行っている（特許文献１の段落「００５８」参照）。
【０００５】
ところで、レンズ系を使用したカメラ等の光学機器にあっては小型化が求められており、光学機器の小型化の一翼をレンズ系の小型化が担っている。レンズ系の小型化には、全長の短縮と径の縮小があるが、全長の短縮のためには、隣り合うレンズ同士の間隔を狭めることが有効である。
【０００６】
しかしながら、複合レンズにあっては、樹脂層の成形の際における樹脂材料の供給量のコントロールの難しさから、どうしても材料樹脂を必要量より余分に供給せざるを得ず、そのために、樹脂層の外周部にいわゆるはみ出し部分と称される不整形の部分が生じることを避けることが出来ない。そのために、複合レンズと別のレンズとを近付けすぎると、別のレンズによって樹脂層のはみ出し部分が押圧されることになり、これによって、２つのレンズの間に正しい間隔を取ることが出来なくなり、さらに、はみ出し部分が押圧されると、該押圧による歪みが樹脂層の表面に影響をし、設計通りの性能を発揮することが出来なくなってしまう。
【０００７】
そこで、従来にあっては、図６及び図７に示すレンズ保持構造によって、複合レンズを含む２枚のレンズの間隔を極力近付けた状態で保持することが行われていた。
【０００８】
図６及び図７において、ａはレンズ保持枠であり、該レンズ保持枠ａは前方に向かって開口した前部レンズ室ｂと後方に向かって開口した後部レンズ室ｃを備え、上記２つのレンズ室の間には内方へ突出したフランジ状の凸部ｄが全周に亘って形成されている。
【０００９】
そして、上記前部レンズ室ｂ内に複合レンズｅが収容保持され、また、後部レンズ室ｃ内にガラス部分のみから成る別のレンズｆが収容保持される。複合レンズｅはガラス部分ｇの外周部にフランジ状の保持縁ｈが突設されており、また、ガラス部分ｇの別のレンズｆと対向する側の光学有効面に樹脂部分ｉが固着されている。そして、上記樹脂部分ｉの外周部にははみ出し部分ｊが生じており、該はみ出し部分ｊは上記保持縁ｈの後面の内周寄りの部分に位置している。
【００１０】
上記レンズ保持枠ａの凸部ｄの前後両面にはそれぞれレンズｅ、ｆの位置決めを為すレンズ保持面ｋ、ｌが形成されており、さらに、前側のレンズ保持面ｋの中心側端部には全周に亘って切欠部ｍが形成されている。
【００１１】
複合レンズｅは前側から前部レンズ室ｂに挿入され、保持縁ｈの後面がレンズ保持面ｋに当接して位置決めされ、また、樹脂部分ｉのはみ出し部分ｊは切欠部ｍ内に位置される。上記切欠部ｍははみ出し部分ｊを押圧しないだけの十分な大きさを有している。そして、別のレンズｆは後側から後部レンズ室ｃ内に挿入され、その外周部の前面がレンズ保持面ｌに当接して位置決めされ、これによって、２つのレンズｅ、ｆは凸部ｄによって所定の間隔をおいて対向され、この状態のまま、接着、カシメ止め等適宜の手段によってレンズ保持枠ａに保持固定される。
【００１２】
【特許文献１】特開平９−１３８３４７号公報
【発明の開示】
【発明が解決しようとする課題】
【００１３】
図６及び図７に示した従来のレンズ保持構造では、複合レンズを含む２つのレンズの間の間隔を十分に小さくすることが出来ず、レンズの小型化には不十分であった。
【００１４】
すなわち、２つのレンズｅ、ｆの間の間隔はレンズ室ｂ、ｄの間に形成された凸部ｄの大きさ、詳しくは、２つのレンズ保持面ｋとｌとの間の間隔によって規定され、レンズ保持面ｋ、ｌ間の間隔を小さくすることによって、２つのレンズｅ、ｆ間の間隔を小さくすることが出来る。しかしながら、図６及び図７に示した構造では、２つのレンズ保持面ｋ、ｌ間の間隔を小さくすることには限界がある。すなわち、レンズ保持枠ａは単にレンズを保持する機能を果たすだけでなく、レンズを移動させる場合の案内機構を構成する部分等を備え、複雑な形状をしている。そのため、レンズ保持枠ａは樹脂成形品として形成されるものであり、成形上の種々の問題、例えば、成形後のヒケ、歪み等のために、レンズ保持面ｋ、ｌ間の間隔を、例えば、１０μｍ単位の精度で形成することは困難である。そのために、上記した従来のレンズ保持構造では、、複合レンズを含む２つのレンズの間の間隔を十分に小さくすることが出来ず、レンズの小型化には不十分であった。
【００１５】
そこで、本発明は、ガラス部分に樹脂層が固着された複合レンズと該複合レンズに間隔をおいて配置される別のレンズとの間の間隔を必要最小限とすることを課題とする。
【課題を解決するための手段】
【００１６】
本発明レンズ保持構造は、上記した課題を解決するために、複合レンズと別のレンズとの間に上記複合レンズの樹脂層の最外周部より外側に位置する部分に当接した略環状のスペーサ部材を介在させ、上記スペーサ部材の内径内に上記樹脂層の外周部分に形成されたはみ出し部分が位置されるようにしたものである。
【００１７】
また、本発明レンズユニットは、上記した課題を解決するために、複数のレンズが所定の位置的関係をもってレンズ鏡筒内に配列されて成り、少なくとも２枚のレンズが固定的間隔をおいて配置され、上記２枚のレンズの一方のレンズはガラス部分の光学機能面に樹脂層を固着して成る複合レンズであって、上記複合レンズと別のレンズとの間に上記複合レンズの樹脂層の最外周部より外側に位置する部分に当接した略環状のスペーサ部材を介在させ、上記スペーサ部材の内径内に上記樹脂層の外周部分に形成されたはみ出し部分が位置されるようにしたものである。
【００１８】
さらに、本発明撮像装置は、上記した課題を解決するために、レンズユニットと、上記レンズユニットによって形成された光学像を電気信号に変換する撮像手段を備え、上記レンズユニットは、複数のレンズが所定の位置的関係をもってレンズ鏡筒内に配列されて成り、少なくとも２枚のレンズが固定的間隔をおいて配置され、上記２枚のレンズの一方のレンズはガラス部分の光学機能面に樹脂層を固着して成る複合レンズであって、上記複合レンズと別のレンズとの間に上記複合レンズの樹脂層の最外周部より外側に位置する部分に当接した略環状のスペーサ部材を介在させ、上記スペーサ部材の内径内に上記樹脂層の外周部分に形成されたはみ出し部分が位置されるようにしたものである。
【００１９】
従って、本発明レズ保持構造にあっては、スペーサ部材の内径内に樹脂層の外周部分に形成されたはみ出し部分が位置される。
【発明の効果】
【００２０】
本発明レンズ保持構造は、ガラス部分の光学機能面に樹脂層を固着して成る複合レンズの上記樹脂層を有する側に所定の間隔をおいて別のレンズを保持するレンズ保持構造であって、上記複合レンズと別のレンズとの間に上記複合レンズの樹脂層の最外周部より外側に位置する部分に当接した略環状のスペーサ部材を介在させ、上記スペーサ部材の内径内に上記樹脂層の外周部分に形成されたはみ出し部分が位置されることを特徴とする。
【００２１】
また、本発明レンズユニットは、複数のレンズが所定の位置的関係をもってレンズ鏡筒内に配列されて成るレンズユニットであって、少なくとも２枚のレンズが固定的間隔をおいて配置され、上記２枚のレンズの一方のレンズはガラス部分の光学機能面に樹脂層を固着して成る複合レンズであって、上記複合レンズと別のレンズとの間に上記複合レンズの樹脂層の最外周部より外側に位置する部分に当接した略環状のスペーサ部材を介在させ、上記スペーサ部材の内径内に上記樹脂層の外周部分に形成されたはみ出し部分が位置されることを特徴とする。
【００２２】
さらに、本発明撮像装置は、レンズユニットと、上記レンズユニットによって形成された光学像を電気信号に変換する撮像手段を備えた撮像装置であって、上記レンズユニットは、複数のレンズが所定の位置的関係をもってレンズ鏡筒内に配列されて成り、少なくとも２枚のレンズが固定的間隔をおいて配置され、上記２枚のレンズの一方のレンズはガラス部分の光学機能面に樹脂層を固着して成る複合レンズであって、上記複合レンズと別のレンズとの間に上記複合レンズの樹脂層の最外周部より外側に位置する部分に当接した略環状のスペーサ部材を介在させ、上記スペーサ部材の内径内に上記樹脂層の外周部分に形成されたはみ出し部分が位置されることを特徴とする。
【００２３】
従って、本発明レンズ保持構造にあっては、スペーサ部材の内径内に樹脂層の外周部分に形成されたはみ出し部分が位置される。そのため、別のレンズを樹脂層のはみ出し部分に接触しないギリギリの位置まで複合レンズに近付けることが出来る。また、スペーサ部材はレンズ保持枠とは別体に構成できるので、所望の材料、特に、厚さの制御が容易で、且つ、精度が良好な材料によって形成することが出来るため、光学性能を損なうこと無しに、複合レンズと別のレンズとを互いの間隔を最小限とした状態で保持固定することが出来、これによって、レンズ全長の短縮を図ることが出来る。また、複合レンズと別のレンズとの間の間隔に関し選択の範囲が広がることによって光学設計上の自由度が向上する。さらに、本発明レンズユニット及び撮像装置にあっては、上記した本発明レンズ保持構造を使用することにより、光学性能を損なうこと無しに、小型に構成することが出来る。
【００２４】
請求項２、請求項６及び請求項９に記載した発明にあっては、上記スペーサ部材の内径内に上記樹脂層の光学有効面の最外周部が位置されるので、２つのレンズの間隔をさらに近付けることが出来る。
【００２５】
請求項３、請求項４、請求項７及び請求項１０に記載した発明にあっては、上記スペーサ部の内径内に上記別のレンズの樹脂層に対向した光学有効面の最外周部が位置されるので、２つのレンズの間隔をさらに近付けることが出来る。
【発明を実施するための最良の形態】
【００２６】
以下に、本発明レンズ保持構造、レンズユニット及び撮像装置を実施するための最良の形態について添付図面を参照して説明する。
【００２７】
図１にレンズユニットの実施の形態１を示す。レンズユニット１は複数のレンズが所定の位置的関係をもってレンズ鏡筒２内に配列されて成る。なお、ここで「所定の位置的関係」とは固定的な位置関係のみならず、可動的位置関係を含むものとして使用される。レンズ鏡筒２はほぼ筒状をした中間部分２ａと該中間部分２ａの前端に固定された前玉保持枠２ｂと上記中間部分２ａの後端に固定された撮像素子保持部２ｃとを備える。
【００２８】
上記中間部分２ａにはレンズ保持板２ｅが形成されており、該レンズ保持板２ｅによって中間部分２ａの内部が前後にほぼ２等分されている。
【００２９】
上記前玉保持枠２ｂと撮像素子保持部２ｃとの間には２本のガイド軸２ｆ、２ｇが架設されている。そして、これら２本のガイド軸２ｆ、２ｇに２つのレンズ保持枠３、４が前後方向に移動自在に支持されている。
【００３０】
上記前玉保持枠２ｂに第１レンズ群Ｇ１を構成するレンズＬ１１、Ｌ１２が固定されており、上記レンズ保持板２ｅに第３レンズ群Ｇ３を構成するレンズＬ３が保持されている。これら第１レンズ群Ｇ１及び第３レンズ群Ｇ３が固定群を構成する。上記レンズ保持枠３に第２レンズ群Ｇ２を構成するレンズＬ２１、Ｌ２２が保持され、上記レンズ保持枠４に第４レンズ群Ｇ４を構成するレンズＬ４が保持されている。そして、これら第２レンズ群Ｇ２及び第４レンズ群Ｇ４は可動群を構成し、例えば、第２レンズ群Ｇ２の光軸方向への移動によって変倍が行われ、第４レンズ群Ｇ４は第２レンズ群Ｇ２の移動に伴う像面位置の変動の補償と近距離合焦のために移動する。
【００３１】
レンズ鏡筒２の中間部分２ａにはレンズ駆動機構５、６が固定されており、これらレンズ駆動機構５、６はそれぞれ、ステッピングモータ５ａ、６ａと該ステッピングモータ５ａ、６ａによって回転されるリードスクリュー５ｂ、６ｂを備える。そして、レンズ保持枠３に設けられたナット部３ａが上記リードスクリュー５ｂと螺合され、また、レンズ保持枠４に設けられたナット部４ａが上記リードスクリュー６ｂと螺合されている。従って、レンズ駆動機構５、６のステッピングモータ５ａ、６ａが駆動されてリードスクリュー５ｂ、６ｂが回転すると、該回転によって、ナット部３ａ、４ａが光軸方向に送られるので、レンズ保持枠３、４がガイド軸２ｆ、２ｇに案内されて光軸方向に移動される。
【００３２】
アイリス機構７が中間部分２ａに設けられる。アイリス機構７の基板７ａが光路を横切るように第３レンズ群Ｇ３の後ろに配置され、露出窓７ｂが光軸上に配置される。基板７ａの中間部分２ａの外側に位置した箇所にメータ７ｃが固定されており、該メータ７ｃによって図示しないアイリス羽根が駆動されて上記露出窓７ｂの開口の大きさが調整される。
【００３３】
撮像素子保持部２ｃの光軸上には受光窓２ｄが形成され、該受光窓２ｄの後側にＣＣＤ８が配置される。なお、９はＣＣＤ８の前側に配置されたローパスフィルタである。
【００３４】
次に、本発明レンズ保持構造について説明する。上記したレンズユニット１の第２レンズ群Ｇ２を構成するレンズＬ２１、Ｌ２２の保持に関して本発明レンズ保持構造が適用されている。本発明レンズ保持構造の詳細を図２乃至図４に示す。
【００３５】
この実施の形態において、互いに所定の間隔をおいて配置固定されるレンズは、複合レンズＬ２１と２枚のガラスレンズを接合して成る２枚接合レンズＬ２２とである。複合レンズＬ２１は像面側に凹面を向けたメニスカス形状のガラス部分１０の光学有効部１１の後面（像面側光学機能面）１１ａに樹脂層２０を固着してなるものである。上記ガラス部分１０の光学有効部１１の外周部にはフランジ状に突出した保持縁１２が形成され、該保持縁１２の後面１２ａは光軸ｘに垂直な面に形成されている。上記樹脂層２０は光学有効部２１を越えてガラス部分１０の保持縁１２の後面１２ａに達する略環状の延長部２２を有し、該延長部２２の最外周部にはみ出し部分２３が出来ている。なお、複合レンズにおける樹脂層のはみ出し部は必ずしも最外周部に出来るとは限らないが、ほとんどのものにおいて最外周部ないしはその近辺に出来る。
【００３６】
２枚接合レンズＬ２２はガラス製の両凹レンズ３０の像面側の面とガラス製の両凸レンズ４０の物体側の面とが接合されて成り、両凹レンズ３０の光学有効部３１の外周部にはフランジ状に突出した保持縁３２が形成されており、保持縁３２の前面は光学有効部３１寄りの部分を残して切り欠かれており、該切り欠かれた部分の前面３３が当接面とされ、該当接面３３は光軸ｘに垂直な面に形成されている。そして、保持縁３２の光学有効部３１寄りの部分３４は上記当接面３３より僅かに前方、すなわち、物体側に突出されており、該突出部３４の中心寄りの部分の前端に光学有効面、すなわち、光学有効部３１の物体側面の最外周部３１ａが位置している。従って、レンズＬ２２の物体側の光学有効面の最外周部３１ａは当接面３３より僅かに前側に位置することになる。また、上記突出部３４の外端は複合レンズＬ２１の樹脂層２０のはみ出し部分２３より内側に位置するようにされている。上記はみ出し部分２３の位置は樹脂層２０の成形時における材料樹脂の供給量によって異なるが、上記供給量のバラツキの最小量の時に形成されるはみ出し部分２３の位置よりさらに内側、すなわち、中心寄りに位置させてある。
【００３７】
上記２つのレンズＬ２１、Ｌ２２の間にはスペーサ部材５０が介在される。該スペーサ部材５０は厚みの薄いリング状に形成され、寸法精度が良好な材料で形成される。また、塵埃を引き寄せることがないようにするために、非磁性体であることが好ましい。例えば、ＳＵＳ３０３、ＳＵＳ３０４のような非磁性及びバネ性を有する金属板で形成されることが好ましい。該スペーサ部材５０の外形寸法は複合レンズＬ２１の外形寸法にほぼ等しく、また、スペーサ部材５０の内径は複合レンズＬ２１の樹脂層２０のはみ出し部分２３の外径より大きいことが必要である。すなわち、はみ出し部分２３は樹脂層２０の成形時における材料樹脂の供給量によって異なるが、上記供給量のバラツキの最大量の時に形成されるはみ出し部分２３の外径より余裕を持った大きさの（スペーサ部材５０の）内径としておけばよい。また、スペーサ部材５０の厚みについては後述する。
【００３８】
なお、上記した各レンズＬ２１、Ｌ２２及びスペーサ部材５０の外径は精確な円形である必要はなく、楕円、長方形等であっても良い。
【００３９】
上記２つのレンズＬ２１、Ｌ２２はレンズ保持枠３に保持される。
【００４０】
レンズ保持枠３は、図１乃至図４に示すように、板状をした主部３ｂのほぼ中央部にレンズ保持筒６０が一体に形成されており、また、主部３ｂの一端部に被案内筒３ｃが形成され、該被案内筒３ｃとレンズ保持筒６０を挟んでほぼ反対側の位置に係合切欠３ｄが形成されている。また、被案内筒３ｃの近傍にナット部３ａが形成されている。そして、被案内筒３ｃにレンズ鏡筒２のガイド軸２ｇが摺動自在に挿通され、また、もう一つのガイド軸２ｆに係合切欠３ｄが摺動自在に係合する。これによって、レンズ保持枠３は２つのガイド軸２ｆ、２ｇに案内されて光軸ｘ方向に移動しうるようにレンズ鏡筒２に支持される。さらに、ナット部３ａにレンズ駆動機構５のリードスクリュー５ｂが螺合され、従って、ステッピングモータ５ａが駆動すると、それによって回転するリードスクリュー５ｂによってナット部３ａが送られるので、レンズ保持枠３は光軸方向に移動されることになる。
【００４１】
レンズ保持筒６０の後端に内方へ突出した内フランジ６１が形成されており、該内フランジ６１の前面６１ａがレンズ支持面とされている。なお、このうちフランジ６１の内径はレンズＬ２２の両凸レンズ４０の外径より大きく形成されている。
【００４２】
レンズ保持筒６０の内フランジ６１から前側の部分の内側は前後に２つの部分に区分されている。すなわち、内フランジ６１から前方へ向かって後側レンズ室６２と前側レンズ室６３とが順番に形成され、前側レンズ室６３の前端からはカシメ縁６４が前方へ向けて突設されている。そして、後側レンズ室６２の内径はレンズＬ２２の外径、すなわち、両凹レンズ３０の保持縁３２の外径とほぼ等しく形成され、また、前側レンズ室６３の内径は複合レンズＬ２１の外径、すなわち、ガラス部分１０の保持縁１２の外径とほぼ等しく形成されている。そして、複合レンズＬ２１の外径はレンズＬ２２の外径よりやや大きく形成されているので、後側レンズ室６２と前側レンズ室６３との境界部には段差部６５が形成される。
【００４３】
次に、上記したレンズ保持枠３への２つのレンズＬ２１、Ｌ２２の保持について説明する。
【００４４】
まず、レンズＬ２２を前側からレンズ保持筒６０内に挿入し、さらに、後側レンズ室６２内に挿入する。これによって、レンズＬ２２はその保持縁３２の後面が内フランジ６１のレンズ支持面６１ａに載置されて、光軸ｘ方向での位置決めがされる。なお、光軸ｘに垂直な方向での位置決めは、保持縁３２の外径と後側レンズ室６２の内径とがほぼ等しくされているので、保持縁３２の外周面が後側レンズ室６２の内周面と接触することによって為される。
【００４５】
次いで、スペーサ部材５０が前側からレンズ保持筒６０内に挿入され、その後面がレンズＬ２２の当接面３３に当接される。なお、後側レンズ室６２の前後幅はレンズＬ２２の保持縁３２の前後の厚みと同じか僅かに小さく形成されている。
【００４６】
次いで、複合レンズＬ２１がレンズ保持筒６０に前側から挿入され、前側レンズ室６３内に挿入される。そして、複合レンズＬ２１の保持縁１２の後面１２ａのうち樹脂層２０のはみ出し部分２３から外側に位置している部分がスペーサ部材５０の前面に当接される。
【００４７】
最後にカシメ縁６４を複合レンズＬ２１の保持縁１２の前面にカシメ付けて、レンズＬ２１、Ｌ２２及びスペーサ部材５０のレンズ保持筒６０からの脱落を阻止して、レンズ保持枠３への２つのレンズＬ２１、Ｌ２２の保持が完了する。
【００４８】
なお、上記レンズ保持枠３における２つのレンズ室６２、６３の同軸度は、上記した従来のレンズ保持枠ａにおける２つのレンズ室ｂ、ｃの同軸度より精確である。すなわち、従来のレンズ室ｂ、ｃは凸部ｄを挟んで独立しているため、これらレンズ室ｂ、ｃを成形するための金型部分はキャビ側（固定側）とコア側（可動側）に分かれている。そのため、２つのレンズ室ｂ、ｃを同軸に形成することは困難である。それに対し、上記レンズ保持枠３のレンズ室６２、６３の成形のための金型部分は一体であり、同じ方向から切削することが出来るため、金型材料の固定し直しや切削軸の変更を行うこと無しに、切削工具（刃）の付け替えだけで連続した作業として行うことが出来る。そのため、レンズ室６２、６３は精確に同軸に形成される。そのため、２つのレンズ室６２、６３の内周面を光軸に垂直な方向での基準にすることによって、２つのレンズＬ２１、Ｌ２２を同軸に配置することが出来、これによって、光学性能が向上する。
【００４９】
上記したレンズ保持構造にあっては、複合レンズＬ２１と別のレンズＬ２２とはスペーサ部材５０によって互いの間隔を規定された状態でレンズ保持枠３に保持される。そして、樹脂層２０のうち保持縁１２の後面１２ａに位置している延長部２２の厚みＡ、レンズＬ２２の保持縁３２の突出部３４の当接面３３からの突出量Ｂ及びスペーサ部材５０の厚みＣの関係が
Ｃ＞（Ａ＋Ｂ）
となっていて、また、樹脂層２０のはみ出し部分２３の保持縁１２の後面１２ａからの突出量Ｄとスペーサ部材５０の厚みＣとの関係が
Ｃ＞Ｄ
となっているため、スペーサ部材５０及びレンズＬ２２の何れも樹脂層２０には触れることが無く、従って、樹脂層２０の面精度が損なわれることがない。
【００５０】
さらに、上記した実施の形態にあっては、樹脂層２０の光学有効面（光学有効部２１の後面）の最外周部２１ａ及び別のレンズＬ２２の樹脂層２０に対向した光学有効面（光学有効部３１の樹脂層２０に対向した面）の最外周部３１ａを共にスペーサ部材５０の内径内、すなわち、スペーサ部材５０の内周面と前後両面が位置する平面とで仕切られた空間５０ａ内に位置させることができるので、複合レンズＬ２１と別のレンズＬ２２とを別のレンズＬ２２が樹脂層２０に触れることがない必要最小限の範囲まで近接させることが出来る。なお、樹脂層２０及び別のレンズＬ２２の光学有効面の最外周部２１ａ、３１ａをスペーサ部材５０の内径内５０ａに位置させることは本発明の必須要件ではないが、少なくとも、いずれかの光学有効面の最外周部２１ａ又は３１ａをスペーサ部材５０の内径内５０ａに位置させることは、２つのレンズＬ２１、Ｌ２２を近接させるについて有効である。
【００５１】
そして、上記したように、２つのレンズＬ２１、Ｌ２２を極めて近接して配置することが出来るため、レンズ系の全長を短くすることが出来る。また、複合レンズＬ２１と別のレンズＬ２２との間隔に関して選択の範囲が広がるので、光学設計上の自由度が向上する。
【００５２】
図５に本発明撮像装置の実施の形態を示す。
【００５３】
この実施の形態にかかる撮像装置１００は、図５に示すように、大きく分けると、カメラ部１１０と、カメラＤＳＰ（Digital Signal Processor）１２０と、ＳＤＲＡＭ（Synchronous Dynamic Random Access Memory）１３０と、媒体インターフェース（以下、媒体Ｉ／Ｆという。）１４０と、制御部１５０と、操作部１６０と、ＬＣＤ（Liquid Crystal Display）１７０と、外部インターフェース（以下、外部Ｉ／Ｆという。）１８０を備えるとともに、記録媒体１９０が着脱可能とされている。
【００５４】
記録媒体１９０は、半導体メモリーを用いたいわゆるメモリーカード、記録可能なＤＶＤ（Digital Versatile Disk）や記録可能なＣＤ（Compact Disc）等の光記録媒体、磁気ディスクなどの種々のものを用いることができるが、この実施の形態においては、記録媒体１９０として、例えば、メモリーカードを用いるものとして説明する。
【００５５】
そして、カメラ部１１０は、光学ブロック１１１、ＣＣＤ（Charge Coupled Device）８、前処理回路１１２、光学ブロック用ドライバ１１３、ＣＣＤ用ドライバ１１４、タイミング生成回路１１５等を備えたものである。ここで、光学ブロック１１１は、上記レンズユニット１を含むものである。
【００５６】
また、制御部１５０は、ＣＰＵ（Central Processing Unit）１５１、ＲＡＭ（Random Access Memory）１５２、フラッシュＲＯＭ（Read Only Memory）１５３、時計回路１５４等が、システムバス１５５を通じて接続されて構成されたマイクロコンピュータであり、この実施の形態の撮像装置１００の各部を制御することができるものである。
【００５７】
ここで、ＲＡＭ１５２は、処理の途中結果を一時記憶するなど主に作業領域として用いられるものである。また、フラッシュＲＯＭ１５３は、ＣＰＵ１５１において実行する種々のプログラムや、処理に必要になるデータなどが記憶されたものである。また、時計回路６４は、現在年月日、現在曜日、現在時刻を提供することができるとともに、撮影日時などを提供するなどのことができるものである。
【００５８】
そして、画像の撮影時においては、光学ブロック用ドライバ１１３は、制御部１５０からの制御に応じて、光学ブロック１１１を動作させるようにする駆動信号を形成し、これを光学ブロック１１１に供給して、光学ブロック１１１を動作させるようにする。光学ブロック１１１は、光学ブロック用ドライバ１１３からの駆動信号に応じて、ズーミング機構（レンズ駆動機構５等）、フォーカス機構（レンズ駆動機構６等）、シャッター機構、アイリス機構７が制御され、被写体の画像を取り込んで、これをＣＣＤ８に対して提供する。
【００５９】
ＣＣＤ８は、光学ブロック１１１からの画像を光電変換して出力するものであり、ＣＣＤ用ドライバ１１４からの駆動信号に応じて動作し、光学ブロック１１１からの被写体の画像を取り込むとともに、制御部１５０によって制御されるタイミング生成回路１１５からのタイミング信号に基づいて、取り込んだ被写体の画像（画像情報）を電気信号として前処理回路１１２に供給する。
【００６０】
なお、上述したように、タイミング生成回路１１５は、制御部１５０からの制御に応じて、所定のタイミングを提供するタイミング信号を形成するものである。また、ＣＣＤ用ドライバ１１４は、タイミング生成回路１１５からのタイミング信号に基づいて、ＣＣＤ８に供給する駆動信号を形成するものである。
【００６１】
前処理回路１１２は、これに供給された電気信号の画像情報に対して、ＣＤＳ（Correlated Double Sampling）処理を行って、Ｓ／Ｎ比を良好に保つようにするとともに、ＡＧＣ（Automatic Gain Control）処理を行って、利得を制御し、そして、Ａ／Ｄ（Analog/Digital）変換を行って、デジタル信号とされた画像データを形成する。
【００６２】
前処理回路１１２からのデジタル信号とされた画像データは、カメラＤＳＰ１２０に供給される。カメラＤＳＰ１２０は、これに供給された画像データに対して、ＡＦ（Auto Focus）、ＡＥ（Auto Exposure）、ＡＷＢ（Auto White Balance）などのカメラ信号処理を施す。このようにして種々の調整がされた画像データは、所定の圧縮方式でデータ圧縮され、システムバス１５５、媒体Ｉ／Ｆ１４０を通じて、この実施の形態の撮像装置１００に装填された記録媒体１９０に供給され、後述するように記録媒体１９０にファイルとして記録される。
【００６３】
また、記録媒体１９０に記録された画像データは、タッチパネルやコントロールキーなどからなる操作部１６０を通じて受け付けたユーザーからの操作入力に応じて、目的とする画像データが媒体Ｉ／Ｆ１４０を通じて記録媒体１９０から読み出され、これがカメラＤＳＰ１２０に供給される。
【００６４】
カメラＤＳＰ１２０は、記録媒体１９０から読み出され、媒体Ｉ／Ｆ１４０を通じて供給されたデータ圧縮されている画像データについて、そのデータ圧縮の解凍処理（伸張処理）を行い、解凍後の画像データをシステムバス１５５を通じて、ＬＣＤコントローラ１７１に供給する。ＬＣＤコントローラ１７１は、これに供給された画像データからＬＣＤ１７０に供給する画像信号を形成し、これをＬＣＤ１７０に供給する。これにより、記録媒体１９０に記録されている画像データに応じた画像が、ＬＣＤ１７０の表示画面に表示される。
【００６５】
なお、画像の表示の形態は、ＲＯＭに記録された表示処理プログラムに従う。つまり、この表示処理プログラムは後述するファイルシステムがどのような仕組みで記録されているのか、どのように画像を再生するのかというプログラムである。
【００６６】
また、この実施の形態にかかる撮像装置１００には、外部Ｉ／Ｆ１８０が設けられている。この外部Ｉ／Ｆ１８０を通じて、例えば、外部のパーソナルコンピュータと接続して、パーソナルコンピュータから画像データの供給を受けて、これを自機に装填された記録媒体１９０に記録したり、また、自機に装填された記録媒体１９０に記録されている画像データを外部のパーソナルコンピュータ等に供給したりすることもできるものである。
【００６７】
また、外部Ｉ／Ｆ１８０に通信モジュールを接続することにより、例えば、インターネットなどのネットワークに接続して、ネットワークを通じて種々の画像データやその他の情報を取得し、自機に装填された記録媒体１９０に記録したり、あるいは、自機に装填された記録媒体１９０に記録されているデータを、ネットワークを通じて目的とする相手先に送信したりすることもできるものである。
【００６８】
また、外部のパーソナルコンピュータやネットワークを通じて取得し、記録媒体に記録した画像データなどの情報についても、上述したように、この実施の形態の撮像装置１００において読み出して再生し、ＬＣＤ１７０に表示してユーザーが利用することももちろんできるようにされている。
【００６９】
なお、外部Ｉ／Ｆ１８０は、ＩＥＥＥ（Institute of Electrical and Electronics Engineers）１３９４、ＵＳＢ（Universal Serial Bus）などの有線用インターフェースとして設けることも可能であるし、光や電波による無線インターフェースとして設けることも可能である。すなわち、外部Ｉ／Ｆ１８０は、有線、無線のいずれのインターフェースであってもよい。
【００７０】
このように、この実施の形態にかかる撮像装置１００は、被写体の画像を撮影して、当該撮像装置１００に装填された記録媒体１９０に記録することができるとともに、記録媒体１９０に記録された画像データを読み出して、これを再生し、利用することができるものである。また、外部のパーソナルコンピュータやネットワークを通じて、画像データの提供を受けて、これを自機に装填された記録媒体１９０に記録したり、また、読み出して再生したりすることもできるものである。
【００７１】
なお、上記撮像装置１００において、撮像手段としてＣＣＤを示したが、本発明撮像装置における撮像手段がＣＣＤに限られることを意味するものではない。ＣＣＤの他に、ＣＭＯＳ(Complementary Metal-Oxide Semiconductor)やその他の撮像素子を使用することもできる。
【００７２】
また、本発明撮像装置の具体的な適用形態としては、デジタルビデオカメラ、デジタルスチルカメラ等のカメラ形態の他、ＰＤＡ（Personal Digital Assistant）等の情報処理機器のカメラ部等として広く適用することが出来る。
【００７３】
さらに、上記した実施の形態における各部の具体的形状や構造は、何れも本発明を実施するに際して行う具体化のほんの一例を示したものに過ぎず、これらによって本発明の技術的範囲が限定的に解釈されることがあってはならないものである。
【産業上の利用可能性】
【００７４】
撮像レンズ系、投影レンズ系等、複合レンズを含む複数枚のレンズを組み合わせて使用する場合に、複合レンズと所定の間隔をおいて配置される別のレンズとの間隔を必要最小限に設定することが出来る。
【図面の簡単な説明】
【００７５】
【図１】本発明レンズユニットの実施の形態を示す縦断面図である。
【図２】図３及び図４と共に本発明レンズ保持構造の実施の形態を示すものであり、本図は分解断面図である。
【図３】縦断面図である。
【図４】レンズ保持枠の斜視図である。
【図５】本発明撮像装置の実施の形態を示すブロック図である。
【図６】図７と共に従来のレンズ保持構造の一例を示すものであり、本図は分解断面図である。
【図７】縦断面図である。
【符号の説明】
【００７６】
１…レンズユニット、２…レンズ鏡筒、８…ＣＣＤ（撮像手段）、Ｌ２１…複合レンズ、Ｌ２２…別のレンズ、１０…ガラス部分、１１ａ…光学機能面、２０…樹脂層、２１ａ…光学有効面の最外周部、２３…はみ出し部分、３１ａ…光学有効面の最外周部、５０…スペーサ部材、５０ａ…内径内、１００…撮像装置
【図１】
2006195052.tif 000003
【図２】
2006195052.tif 000004
【図３】
2006195052.tif 000005
【図４】
2006195052.tif 000006
【図５】
2006195052.tif 000007
【図６】
2006195052.tif 000008
【図７】
2006195052.tif 000009